(57)【要約】【課題】内グリップ１の表面と外グリップ２の内面との間に適宜の空間部を構成することにより、外グリップ２を把持した時に内グリップ１の突部１Ａ及び外グリップ２が弾性変形をして把持し易い筆記具のグリップを提供する。【解決手段】筆記具を把持する部分に取り付けられるグリップにおいて、そのグリップを軟質材からなる内グリップ１と軟質材からなる外グリップ２の二層構造で構成する。この内グリップ１の表面に突部１Ａを形成し、内グリップ１の表面と外グリップ２の内面の間に適宜の空間部を構成する。【選択図】        図１
2007320245.tif 000002
【特許請求の範囲】
【請求項１】
筆記具を把持する部分に取り付けられるグリップにおいて、そのグリップを、軟質材からなる内グリップと軟質材からなる外グリップの二層構造で構成し、前記内グリップの表面に突部を形成し、内グリップの表面と外グリップの内面の間に適宜の空間部を構成したことを特徴とする筆記具のグリップ。
【請求項２】
内グリップの表面に円周状に伸びた突部を複数形成し、内グリップの表面と外グリップの内面の間に適宜の空間部を構成したことを特徴とする請求項１記載の筆記具のグリップ。
【請求項３】
内グリップの表面に多数の柱状の突部を形成し、内グリップの表面と外グリップの内面の間に適宜の空間部を構成したことを特徴とする請求項１記載の筆記具のグリップ。
【請求項４】
内グリップの両端に外鍔を形成し、この２つの外鍔により内グリップを外グリップに嵌合したことを特徴とする請求項１乃至３のいずれか１項に記載の筆記具のグリップ。
【請求項５】
外グリップを透明性を有した軟質材で構成したことを特徴とする請求項１乃至４のいずれか１項に記載の筆記具のグリップ。
【発明の詳細な説明】
【技術分野】
【０００１】
本発明は、筆記具を把持する部分に取り付けられるグリップに関するものである。
【背景技術】
【０００２】
従来、筆記具を把持する部分に取り付けられたグリップとしては、内方層と表面層との上下に積層した軟質材で形成し、内方層のショアー硬度がＨｓ（ＪＩＳ  Ａ）５〜３０、表面層のショアー硬度がＨｓ（ＪＩＳ  Ａ）４０以上で構成した筆記具のグリップが知られている。（特許文献１参照）
【特許文献１】特開２０００−３５５１８５号公報
【発明の開示】
【発明が解決しようとする課題】
【０００３】
しかしながら、上記した筆記具のグリップは、内方層と表面層の間に空間部がなく、手で把持した時に十分な弾性変形が得られなかった。
本発明は、上記課題を解消する筆記具のグリップを提供することを目的とするものである。
【課題を解決するための手段】
【０００４】
本発明は、筆記具を把持する部分に取り付けられるグリップにおいて、そのグリップを、軟質材からなる内グリップと軟質材からなる外グリップの二層構造で構成し、前記内グリップの表面に突部を形成し、内グリップの表面と外グリップの内面の間に適宜の空間部を構成したことを第１の要旨とする。
【０００５】
また、内グリップの表面に円周状に伸びた突部を複数形成し、内グリップの表面と外グリップの内面の間に適宜の空間部を構成したことを第２の要旨とする。
【０００６】
更に、内グリップの表面に多数の柱状の突部を形成し、内グリップの表面と外グリップの内面の間に適宜の空間部を構成したことを第３の要旨とする。
【０００７】
更にまた、内グリップの両端に外鍔を形成し、この２つの外鍔により内グリップを外グリップに嵌合したことを第４の要旨とする。
【０００８】
更にまた、外グリップを透明性を有した軟質材で構成したことを第５の要旨とする。
【発明の効果】
【０００９】
本発明は、内グリップの表面に突部を形成して内グリップの表面と外グリップの内面の間に適宜の空間部を構成することにより、手で外グリップを把持した時に外グリップが十分に弾性変形をするので非常に把持し易い効果が奏せられるものである。
【発明を実施するための最良の形態】
【００１０】
内グリップの表面と外グリップの内面との間に適宜の空間部を構成することにより、外グリップを把持した時に外グリップが弾性変形をして把持し易い筆記具のグリップを実現した。
【実施例１】
【００１１】
以下、図１及び図２に基づいて本発明における実施例１の筆記具のグリップを説明する。先ず、軟質材で作製された内グリップ１の表面に等間隔に多数の四角柱形の突部１Ａを形成する。また、内グリップ１の前端と後端に外鍔１Ｂを形成する。次に、軟質材で作製された外グリップ２の前端に内鍔２Ａを形成する。また、外グリップ２の外形は両端から中間部に向かって徐々に曲線状に細径に形成されている。この外グリップ２を前記内グリップ１に被せて筆記具のグリップを構成する。
【００１２】
次に、図３により本発明の筆記具のグリップをノック式シャープペンシルに設けた例で説明する。先ず、チャック３の頭部３Ａを複数に分割して拡開可能に形成し、この頭部３Ａにテーパー面を形成する。前記チャック３の頭部３Ａに締リング４を外嵌し、チャック３の後部にパイプ状の芯タンク５を圧入固着する。また、締リング４を受け止めるワッシャー６と芯タンク５の間にスプリング７を張架し、チャック３のテーパー面が締リング４に押圧され機構部が構成される。
【００１３】
軸筒８の前部８Ａは細径に形成され、この前部８Ａに前記内グリップ１を外嵌する。次に、内グリップ１に前記外グリップ２を外嵌する。すると、内グリップ１の外鍔１Ｂ及び突部１Ａが外グリップ２の内面に接触し、内グリップ１の表面と外グリップ２の内面の間に適宜の空間部が構成される。
【００１４】
この実施例１の場合には、突部１Ａが小さい程柔らかい感触となる。また、突部１Ａが高い程柔らかい感触となる。更に、突部１Ａの間隔が広い程柔らかい感触となる。
【００１５】
この軸筒８の前方より前記機構部を挿入した後、軸筒８に口金９を螺合し、口金９の内段９Ａと軸筒８の前端でワッシャー６を挟持する。また、口金９が螺合されることによって口金９の後端と軸筒８の外段８Ｂによって外グリップ２が挟持され、外グリップ２の内鍔２Ａと軸筒８の前部外段８Ｃにより内グリップ１が挟持される。
【実施例２】
【００１６】
図４は本発明における実施例２の内グリップ１１を示したものである。内グリップ１１の表面に等間隔に円周方向に伸びた突部１１Ａを複数形成する。また、内グリップ１１の前端と後端に外鍔１１Ｂを形成する。この場合には、実施例１よりやや硬い感触が得られる。
【実施例３】
【００１７】
図５及び図６は本発明における実施例３の内グリップ２１を示したものである。内グリップ２１の上側半分の表面に長手方向に伸びた突部２１Ｃを等間隔に複数形成する。また、内グリップ２１の下側半分の表面に円周方向に伸びた突部２１Ｄを等間隔に複数形成する。この場合には下側がやや柔らかい感触となる。
【実施例４】
【００１８】
図７は本発明における実施例４の内グリップ３１を示したものである。内グリップ３１の上側半分の表面は極めて狭い等間隔で突部３１Ａを複数形成し、下側半分の表面は長手方向にやや広い等間隔で突部３１Ａを複数形成する。この場合には下側半分がやや柔らかい感触となる。
【実施例５】
【００１９】
図８は本発明における実施例５の内グリップ４１を示したものである。内グリップ４１の表面に等間隔に円柱状の突部４１Ｅを多数形成する。尚、図示していないが、突部はその他半円形や円錐形等種々の形状が考えられる。
【００２０】
尚、上記実施例は、内グリップの突部が外グリップの内面に接触して構成されているが、内グリップの突部は必ずしも外グリップの内面に接触している必要はなく、隙間が設けられていても本発明の目的は十分に得られるものである。また、外グリップの外形は、中間部を太径にしたりあるいは単に円筒形にしたり、断面形状を三角形にしたり、肉厚を任意に変えたり等、種々の形状が考えられる。更に、本発明の内グリップは、等間隔に複数形成した突部の一部を模様や文字表示を表わすように突部を切り欠くことも可能である。
【００２１】
更に、内グリップを着色した軟質材で形成するとともに、外グリップを透明な軟質材で形成すれば、内グリップの突部を模様として表わすことができる。また、外グリップを透明な軟質材で形成するとともに内グリップも透明な軟質材で形成すれば、軸筒が透けて見えるので新たな外観が表現できる。
【００２２】
更にまた、内グリップは、硬さ（ＪＩＳ  Ａ）１０、３０あるいは５０といったシリコンラバーや、硬さ（ＪＩＳ  Ａ）３０、５０あるいは７０といったエラストマーが考えられる。これらの内グリップと組み合わされる外グリップとしては、硬さ（ＪＩＳ  Ａ）５０のシリコンラバーを用いることによって、種々の柔らかさのグリップが設定可能となる。
【００２３】
更にまた、本発明の筆記具のグリップは、ノック式シャープペンシルに限定されるものではなく、ボールペン等種々の筆記具に利用できるものである。
【産業上の利用可能性】
【００２４】
筆記具のグリップの任意の箇所を任意の柔らかさに設定することができる。
【図面の簡単な説明】
【００２５】
【図１】本発明の実施例１の筆記具のグリップを示す断面図である。（実施例１）
【図２】図１のＡ−Ａ線を示す断面図である。（実施例１）
【図３】実施例１の筆記具のグリップを設けたノック式シャープペンシルを示す主要部断面図である。（実施例１）
【図４】本発明の実施例２の内グリップを示す正面図である。（実施例２）
【図５】本発明の実施例３の内グリップを示す正面図である。（実施例３）
【図６】図５のＡ−Ａ線を示す断面図である。（実施例３）
【図７】本発明の実施例４の内グリップを示す正面図である。（実施例４）
【図８】本発明の実施例５の内グリップを示す正面図である。（実施例５）
【符号の説明】
【００２６】
１  内グリップ
１Ａ  内グリップ１の突部
１Ｂ  内グリップ１の外鍔
２  外グリップ
１１  内グリップ
１１Ａ  内グリップ１１の突部
１１Ｂ  内グリップ１１の外鍔
２１  内グリップ
２１Ｃ  内グリップ２１の突部
２１Ｄ  内グリップ２１の突部
３１  内グリップ
３１Ａ  内グリップ３１の突部
４１  内グリップ
４１Ｅ  内グリップ４１の突部
【図１】
2007320245.tif 000003
【図２】
2007320245.tif 000004
【図３】
2007320245.tif 000005
【図４】
2007320245.tif 000006
【図５】
2007320245.tif 000007
【図６】
2007320245.tif 000008
【図７】
2007320245.tif 000009
【図８】
2007320245.tif 000010